(57)【要約】【課題】表示が印刷された層を透過する光の損失を抑制して、発光層からの光を効果的に外部に供給する。【解決手段】 発光層１０の表面側に、光を透過可能な合成樹脂からなり、昇華印刷による表示２０ａが施されてなる光透過層２０を設けた。昇華印刷によるインクは、加熱により、合成樹脂の分子構造に入り込んで光透過層を染色し、文字、図柄等の所定の表示を形成する。よって、インクによって光透過層の表面が覆われるわけではないため、シルク印刷等を施す場合と比較して、合成樹脂からなる光透過層２０における光の損失が小さくなり、発光層２０からの光をより強い光として放出可能で、昇華印刷により施した表示２０ａの視認性を高めることができる。【選択図】    図１
2017116605.tif 000002
【特許請求の範囲】
【請求項１】
発光層と、
光を透過可能な合成樹脂からなり、昇華印刷による表示が施されてなると共に、前記発光層の表面側に設けられている光透過層と
を有することを特徴する発光シート。
【請求項２】
前記光透過層を形成する前記合成樹脂が、ポリエチレンテレフタレートである請求項１記載の発光シート。
【請求項３】
前記発光層が、蓄光材料を含んだ蓄光層からなる請求項１又は２記載の発光シート。
【請求項４】
前記発光層の裏面側に、さらに貼着層を有している請求項１〜３のいずれか１に記載の発光シート。
【発明の詳細な説明】
【技術分野】
【０００１】
本発明は、発光シートに関する。
【背景技術】
【０００２】
特許文献１には、表面側から、再帰性反射層、蓄光層、遮光層の順で積層された再帰性反射型蓄光シートが開示されている。再帰性反射層に入射した光は、一部が反射し、一部は透過して蓄光層に蓄えられる。再帰性反射層の反射による強い光を発することができる一方で、外光が減少した夜間などにおいては、蓄光層からの放光によっても光を供給できるため、例えば、表面に施した文字を光らせる避難誘導板などとして活用されている。また、背面側から強い外光が入射されるような時間帯においては、表面から放射される光が強すぎて、表面の文字などを視認しにくい場合もある。特許文献１は、その点、背面に遮光層を設けることにより、背面からの光の入射を制限し、強い外光が背面側から入射される時間帯における視認性の改善を図っている。
【先行技術文献】
【特許文献】
【０００３】
【特許文献１】特開２０１４−１６４０８２号公報
【発明の概要】
【発明が解決しようとする課題】
【０００４】
蓄光シートは、上記のように避難誘導板等として用いられるため、表面に文字等の印刷が施される。その方法として、特許文献１には、再帰性反射層を構成するガラスビーズ層上に、シランカップリング剤による表面処理を施し、その上に、デザイン文様等を印刷する技術を開示している。
【０００５】
しかし、シランカップリング剤のような表面処理を行った後に印刷を行うとすると、シルク印刷等のように表面処理層の上に、インクを擦りつけて付着させる方法を用いるのが一般的である。そのため、光強度の強い反射光を利用できる昼間の時間帯はともかく、夜間等、蓄光層から徐々に放出される比較的弱い光を利用する時間帯においては、インク層によって光の一部が遮られ、光が十分には供給されない場合がある。
【０００６】
このことは、蓄光層に代えて、蛍光材料を含んでなる蛍光層を用いた場合も同様であり、紫外線に励起されて発光しても、表面側にインク層が存在する場合、蛍光層の光が十分には外部に届かず、所定の表示が浮かび上がりにくいという課題がある。
【０００７】
本発明は上記の点に鑑みなされたものであり、表示が印刷された層を透過する光の損失を抑制して、発光層からの光を効果的に外部に供給し、発光層の表面側において印刷されている所定の表示の視認性を高めることができる発光シートを提供することを課題とする。
【課題を解決するための手段】
【０００８】
上記課題を解決するため、本発明の発光シートは、発光層と、光を透過可能な合成樹脂からなり、昇華印刷による表示が施されてなると共に、前記発光層の表面側に設けられている光透過層とを有することを特徴する
【０００９】
前記光透過層を形成する前記合成樹脂が、ポリエチレンテレフタレートであることが好ましい。
前記発光層が、蓄光材料を含んだ蓄光層からなることが好ましい。
前記発光層の裏面側に、さらに貼着層を有していることが好ましい。
【発明の効果】
【００１０】
本発明によれば、発光層の表面側に、光を透過可能な合成樹脂からなり、昇華印刷による表示が施されてなる光透過層を有している。昇華印刷によるインクは、加熱により、合成樹脂の分子構造に入り込んで光透過層を染色し、文字、図柄等の所定の表示を形成する。よって、インクによって光透過層の表面が覆われるわけではないため、シルク印刷等を施す場合と比較して、合成樹脂からなる光透過層における光の損失が小さくなる。その結果、発光層からの光をより強い光として放出可能で、昇華印刷により施した表示の視認性を高めることができる。
【図面の簡単な説明】
【００１１】
【図１】図１は、本発明の一の実施形態に係る発光シートを示す概略斜視図である。
【図２】図２は、図１の断面図である。
【発明を実施するための形態】
【００１２】
以下、図面を用いて、本発明の一の実施形態を説明する。図１及び図２は、本実施形態に係る発光シート１を示した断面図である。この図に示したように、本実施形態の発光シート１は、発光層１０、光透過層２０及び貼着層３０を有している。
【００１３】
発光層１０は、本実施形態では、蓄光材料を含む蓄光層として形成されている。蓄光材料としては、アルミン酸ストロンチウム系の顔料等の公知の蓄光材料を挙げることができるが、いずれを用いるかは限定されるものではない。発光層１０の厚さは任意であるが、例えば、１０〜１５００μｍとすることができる。発光層１０としては、蓄光材料を含有した層のみから構成されるものであってもよいが、特許文献１に記載のように、蓄光材料を含有する層の表面側（光が入射する側）に、ガラスビーズ層と透明反射層とが積層された再帰性反射層を積層した構成とすることもできるし、あるいは、これに加えて、蓄光材料を含有する層の背面側に、背面側からの光の入射を防止する遮光層を設けた構成とすることもできる。
【００１４】
光透過層２０は、光を透過可能な合成樹脂からなり、昇華印刷による表示２０ａが施されてなる。光を透過可能とするため、透明性の高いものであることが好ましく、また、昇華印刷を可能とするために、耐熱性の高い材料、特に、ポリエチレンテレフタレート（ＰＥＴ）から構成することが好ましい。厚さは、１０〜１５００μｍとすることが好ましい。
【００１５】
光透過層２０には、昇華印刷による適宜の表示２０ａが施されている。表示２０ａとしては、文字、図形、記号、模様、若しくはこれらのうちの２以上の適宜の組み合わせ等とすることができる。また、表示２０ａを施す範囲（面積）や位置等も限定されるものではない。昇華印刷は、文字等の表示２０ａを転写紙に昇華印刷用のインクを用いて印刷し、その後、印刷対象物であるフィルム状やシート状に加工された光透過層２０自体に該転写紙を重ね、又は、予め発光層１０上に光透過層２０が形成された状態で該転写紙を重ね、通常１８０度前後以上の熱を付与する転写機にかける。これにより、転写紙のインクが気化し、密着している光透過層２０の分子間の隙間に定着する。そのため、シルク印刷等と比較して、種々の色を正確に着色できるという利点もある。
【００１６】
貼着層３０は、発光層１０において、上記光透過層２０の反対面側に積層形成される。貼着層３０は、取り付け対象に少なくとも一時的に付着できる機能を果たすものである。従って、その機能は限定されるものではなく、吸着、粘着、接着のいずれの機能を有するものでもよい。取り付け対象は、本実施形態の発光シート１の用途により種々考えられ、例えば、特許文献１のように避難誘導板に取り付けることもできるし、ステッカーやワッペンとして、例えば、携帯型端末機器（スマートフォン、携帯電話、携帯型ゲーム機等）、壁、机、棚、家電製品、衣服などに取り付けることができる。
【００１７】
この場合、避難誘導板のように、貼着時間が長いと想定されるものについては、貼着層３０として、接着剤を用いた層とすることが好ましく、携帯型端末機器等のように、一時的に取り付ける場合には、粘着剤を用いた層としたり、細かな凹凸を有して押圧することにより吸着機能を果たす層としたりすることが好ましい。貼着層３０の厚さはこれらの機能を果たすことができる限り、限定されるものではないが、通常、１０〜５００μｍの範囲が好ましい。
【００１８】
本実施形態によれば、外光を受けると、光透過層２０を通して、蓄光材料を含む蓄光層として形成された発光層１０に蓄光される。一方、外光がなくなると、蓄光層としての発光層１０に蓄えられた光が徐々に、光透過層２０を介して、外方に放出される。このとき、本実施形態によれば、光透過層２０に施された表示２０ａが昇華印刷であり、該表示２０ａは、光透過層２０を構成する合成樹脂の分子構造間に定着している。そのため、光透過層２０上にシルク印刷等を施す従来の手段と比較して、光を遮ることがなくなって透過率が高くなる。よって、発光層１０から発せられる光の外部への放出の損失が少なくなり、光透過層２０に施された表示２０ａを目立ちやすくし、外部からの視認性を高めることができる。
【００１９】
上記実施形態においては、発光層１０を、蓄光材料を含んでなる蓄光層から構成しているが、蛍光材料を含んでなる蛍光層から構成することもできる。蛍光層として構成した場合にも、光透過層２０に昇華印刷によって表示２０ａを形成していることから、上記と同様に、紫外線照射による発光が外部に放出される際の損失が、シルク印刷等によって表示２０ａを施す場合よりも小さくなり、光透過層２０に施した文字等の表示２０ａが視認しやすくなる。
【００２０】
発光層１０は、上記のように、蓄光層、蛍光層のいずれで形成することもできるが、特許文献１のように、主として避難誘導板に貼着して使用する場合には、夜間等においても長時間発光可能な蓄光層として形成することが好ましい。また、壁、机、衣服等に貼着するステッカーやワッペン等として用いる場合も、夜間等でも発光可能な蓄光層として形成すると、視覚的に確認できる時間が増えるため好ましい。
【産業上の利用可能性】
【００２１】
本発明の発光シートは、避難誘導板、壁、机、衣服等に貼着するステッカーやワッペン等として用いることができるほか、メモ帳、ノート等として用い、適宜のメモ等を記すことに使用することもできる。この場合も、発光層の光により所定の文字や図形等の表示が浮かび上がる印象を与えることができるため、メモ書き等を行う場合の楽しみが増したり、夜間や非常時などにおいて、メモ帳等の位置を容易に把握できる等の利点がある。
【符号の説明】
【００２２】
１  発光シート
１０  発光層
２０  光透過層
２０ａ  表示
３０  貼着層
【図１】
2017116605.tif 000003
【図２】
2017116605.tif 000004